(57)【要約】【課題】  複雑な回路によって駆動部を駆動する構成を用いなくとも駆動可能な構成となり、効率的に装飾性を高め得る構成を提供する。【解決手段】  遊技機１は、遊技球を発射する発射装置３０を備えると共に、その発射された遊技球が流下可能に構成されている。そして、圧電素子１０１と、当該圧電素子１０１と電気的に接続された発光素子１０３とを有する装飾部品を備え、発射装置３０の駆動が圧電素子１０１に伝達可能に構成されている。そして、その駆動の伝達により圧電素子１０１が変形して駆動電流が発生し、当該圧電素子１０１からの駆動電流によって発光素子１０３が発光するように構成されている。【選択図】  図５
2010115564.tif 000002
【特許請求の範囲】
【請求項１】
遊技球が流下可能に構成された遊技機であって、
アクチュエータと、前記アクチュエータの動作に基づいて変位する変位部材と、を有し
てなる所定の電動部と、
圧電素子と、前記圧電素子と電気的に接続された駆動部とを有する装飾部品と、を備え
、
前記電動部の動作が前記圧電素子に伝達可能に構成されると共に、その動作の伝達によ
り前記圧電素子が変形して駆動電流が発生し、当該圧電素子からの前記駆動電流によって
前記駆動部が駆動することを特徴とする遊技機。
【発明の詳細な説明】
【技術分野】
【０００１】
本発明は、遊技機に関する。
【背景技術】
【０００２】
従来、遊技機の一種として例えばパチンコ機が広く知られている。このようなパチンコ
機等の遊技機では、遊技領域に配置される遊技部品（例えば、風車、装飾ランプ、表示装
置など）に様々なデザインを施し、装飾効果を上げて遊技者の興味をなるべく引くように
構成されている。このような背景のなか、より一層装飾効果を高めようとする技術として
例えば特許文献１のようなものが提供されている。
【特許文献１】特開２００３−３２５７７０公報
【発明の開示】
【発明が解決しようとする課題】
【０００３】
ところで、従来の遊技機では、発光素子等の駆動部を駆動させる構成としては、駆動部
を各種基板に接続するとともに、メイン基板からの制御信号に応じて駆動部を通電して駆
動するような構成が用いられている。このような構成では、駆動部は必ず何らかの基板に
接続する必要があり、かつ、駆動の際には何らかの制御信号を与えなければならない。し
たがって、ワイヤ−ハーネス、基板等といった駆動部を駆動させるために必要となる部品
数が多くなりがちであり、遊技機全体の複雑化、部品点数の増加等を招いていた。
【０００４】
本発明は上記のような事情に基づいてなされたものであって、複雑な回路によって駆動
部を駆動する構成を用いなくとも駆動可能な構成となり、効率的に装飾性を高め得る構成
を提供することを目的とする。
【課題を解決するための手段】
【０００５】
上記課題を解決するために有効な手段等を以下に示す。なお、必要に応じてその作用効
果等についても説明する。
手段１．遊技球が流下可能に構成された遊技機であって、
アクチュエータと、前記アクチュエータの動作に基づいて変位する変位部材と、を有し
てなる所定の電動部と、
圧電素子と、前記圧電素子と電気的に接続された駆動部とを有する装飾部品と、を備え
、
前記電動部の動作が前記圧電素子に伝達可能に構成されると共に、その動作の伝達によ
り前記圧電素子が変形して駆動電流が発生し、当該圧電素子からの前記駆動電流によって
前記駆動部が駆動することを特徴とする遊技機。
【０００６】
このようにすれば、複雑な電源回路や制御回路によって駆動部を駆動する構成を用いな
くとも電動部の電動エネルギーを利用して圧電素子に駆動電流を生じさせることができ、
簡易に装飾性を高め得る構成となる。
【０００７】
手段２．前記圧電素子の一部が、前記電動部の作用を受ける作用部として構成されてい
ることを特徴とする手段１に記載の遊技機。
【０００８】
このようにすれば、圧電素子の変形を大きくすることができ、効率的に電流を発生させ
ることができることとなる。
【０００９】
手段３．前記電動部は、前記圧電素子を押圧するように構成されていることを特徴とす
る手段２に記載の遊技機。
【００１０】
このようにすれば、電動部の動作を圧電素子に直接伝達しやすい構成となる。
【００１１】
手段４．前記圧電素子の板面を覆うようにカバー部が配置されており、当該カバー部の
外面に前記電動部が作用するように構成されていることを特徴とする手段１に記載の遊技
機。
【００１２】
このようにすれば、圧電素子の劣化を効果的に保護できる。
【００１３】
手段５．前記電動部は、前記カバー部を押圧するように構成されていることを特徴とす
る手段４に記載の遊技機。
【００１４】
このようにすれば、電動部の動作をカバー部に伝達しやすい構成となる。
【００１５】
手段６．前記圧電素子は、板状に形成され、かつ撓むように変形可能に構成されている
ことを特徴とする手段２ないし手段５に記載の遊技機。
【００１６】
このようにすれば、圧電素子がより変形しやすくなり、起電力が生じやすい構成となる
。具体的には例えば、圧電素子の一端を自由端として構成し、当該圧電素子においてこの
自由端側が撓むように構成してもよく、圧電素子の両端を支持して両持ち状に構成し、当
該圧電素子の中央付近が撓むように構成してもよい。
【００１７】
手段７．複数の前記圧電素子が積層された構成をなし、その積層体が変形可能に構成さ
れていることを特徴とする手段２ないし手段６のいずれかに記載の遊技機。
【００１８】
このように、複数の前記圧電素子を積層して構成し、積層体全体を変形させるようにす
れば、より大きな起電力を生じさせることができ、強度的にも優れた構成となる。
【００１９】
手段８．前記積層体は、２枚の前記圧電素子を有し、これら圧電素子の間に導体からな
る又は導電性を有する接続板が配置された構成をなすことを特徴とする手段７に記載の遊
技機。
【００２０】
このようにすれば、２枚の圧電素子から効率的に電流を取り出すことができる構成とな
る。
【００２１】
手段９．前記積層体は、一端側が自由端とされて当該自由端付近に前記電動部が作用す
ることを特徴とする手段７又は手段８に記載の遊技機。
【００２２】
このようにすれば、電動部の作用によって圧電素子がより一層変形しやすい構成となる
。
【００２３】
手段１０．前記積層体は長手状に構成されると共に長手方向一端側が自由端側とされ、
他端側を所定の保持部材によって保持されており、
前記自由端側に前記電動部が作用することによって撓みが生じるように構成されているこ
とを特徴とする手段９に記載の遊技機。
【００２４】
このようにすれば、積層体がより撓みやすい構成となり、圧電素子から駆動電流が生じ
やすい構成となる。
【００２５】
手段１１．前記圧電素子と接続される接続部が前記電動部の作用を受ける作用部として
構成されており、当該接続部の変位又は変形により前記圧電素子を変形させる力が生じる
ことを特徴とする手段１に記載の遊技機。
【００２６】
このようにすれば、圧電素子に直接電動部が作用せず、圧電素子自体を効果的に保護で
き、耐久性の高い構成となる。
【００２７】
手段１２．前記接続部は、板状部品からなり、当該板状部品の板面に前記圧電素子が接
合されていることを特徴とする手段１１に記載の遊技機。
【００２８】
このように接続部を板状に構成すれば、圧電素子を保持しやすく、圧電素子に力を作用
させやすい好適構成となる。
【００２９】
手段１３．前記接続部は、撓むように変形可能に構成されており、当該接続部が撓むこ
とにより当該接続部に接続される前記圧電素子が変形して前記駆動電流が生じることを特
徴とする手段１１又は手段１２に記載の遊技機。
【００３０】
このようにすれば、接続部が変形しやすく、かつ接続部の変形に伴って圧電素子を変形
させやすい構成となる。手段１３に記載のものにおいて、より具体的には、例えば接続部
を板状に構成し、当該接続部が、当該接続部の板面方向と直交する方向に撓むように構成
できる。
【００３１】
手段１４．前記接続部は、一端側が自由端とされてこの自由端付近に前記電動部が作用
するように構成されており、当該接続部の自由端から所定距離離れた位置に前記圧電素子
が接合されていることを特徴とする手段１３に記載の遊技機。
【００３２】
このようにすれば、電動部の作用によってより圧電素子を大きく変形させることのでき
る構成となる。
【００３３】
手段１５．前記接続部は板状に、かつ長手状に構成されており、長手方向の一端側を当
該接続部の自由端として構成し、その長手状に構成される接続部の少なくとも中央付近又
は少なくとも他端側に圧電素子が配置されていることを特徴とする手段１４に記載の遊技
機。
【００３４】
このようにすれば、接続部がより一層撓みやすい構成となり、ひいては圧電素子に変形
が生じやすい構成となる。
【００３５】
手段１６．前記圧電素子から、当該圧電素子の板面方向所定距離離れた位置において前
記接続部が前記電動部の作用を受けるように構成されていることを特徴とする手段１１な
いし手段１５のいずれかに記載の遊技機。
【００３６】
このようにすれば圧電素子を効果的に保護しつつ変形させることができる好適構成とな
る。
【００３７】
手段１７．前記圧電素子と前記駆動部とを備えてなる圧電素子ユニットにおいて、少な
くとも前記駆動部は、デザインが施された樹脂カバー部の内部に収容されていることを特
徴とする手段２ないし手段１６のいずれかに記載の遊技機。
【００３８】
このようにすれば、デザインが施された樹脂カバー部内に駆動部（例えば発光素子）を
配置できる構成となる。
【００３９】
手段１８．前記樹脂カバー部の後方に配置された前記駆動部より、前記作用部が前記電
動部側に延出した構成をなすことを特徴とする手段１７に記載の遊技機。
【００４０】
このようにすれば、作用部は電動部の作用を受けやすく、駆動部は電動部の作用から効
果的に保護できる構成となる。
【００４１】
手段１９．前記駆動部は、制御手段を備えてなる制御基板に直接的又は間接的に接続さ
れておらず、前記圧電素子のみが電源とされ、他の電源は用いられないことを特徴とする
手段１ないし手段１８のいずれかに記載の遊技機。
【００４２】
このようにすれば、制御手段（ＣＰＵ）を備えてなる制御基板或いは当該制御手段に接
続される別基板の端子や電源を用いずとも駆動が可能となり、制御基板やこの制御基板に
接続される別基板に影響を与えない極めて有効な構成となる。
【００４３】
手段２０．前記駆動部は、前記駆動電流によって発光する発光素子からなることを特徴
とする手段１ないし手段１９のいずれかに記載の遊技機。
【００４４】
この構成によれば、複雑な構成を用いずとも発光素子を発光できることとなり、効率的
に装飾性を高め得る構成となる。また、発光素子は大電流を用いずとも駆動が可能となる
ため、駆動部として好適な構成となる。具体的には、例えばＬＥＤによって発光素子を構
成できる。
【００４５】
手段２１．前記発光素子の一対の端子が前記圧電素子又は前記圧電素子に接合された導
体に接合されていることを特徴とする手段２０に記載の遊技機。
【００４６】
このように圧電素子又は圧電素子に接合された導体に直接発光素子の端子を接続すれば
、圧電素子と発光素子との間の配線が省略され、極めてコンパクトな構成となる。具体的
には圧電素子の板面に直接発光素子の端子を接合してもよく、圧電素子の板面に導体を接
合し、この導体に発光素子の端子を接合してもよい。
【００４７】
手段２２．前記圧電素子は所定のベース部材に接合されており、このベース部材に前記
発光素子が実装されていることを特徴とする手段２０に記載の遊技機。
【００４８】
このようにすれば、ハーネスを省略することができ、部品点数の削減、装置のコンパク
ト化を図ることができる。具体的には、ベース部材を板状部材によって構成し、この板状
部材に圧電素子と発光素子の各々を接合するように構成できる。この場合、ベース部材（
板状部材）においてスルーホール、ビアホール、ワイヤボンディング、或いは所定パター
ン等の配線部を設け、圧電素子と発光素子を電気的に接続することができる。
【００４９】
手段２３．前記圧電素子は、当該圧電素子の変形状態に応じて生じる前記駆動電流の向
きが変化するようになっており、
前記駆動部は、前記駆動電流が一方の向きの場合に駆動する第１駆動部と、他方の向き
の場合に駆動する駆動する第２駆動部とを備えてなることを特徴とする手段１ないし手段
２２のいずれかに記載の遊技機。
【００５０】
このようにすれば、双方の電流の向きに対応して各々駆動部が配置されることとなり、
２つの駆動態様を生じさせることができる構成となる。具体的には、撓み方向に応じて駆
動電流が変更されるように構成でき、自然状態から第１方向に撓んだ場合に一方の向きに
駆動電流が生じ、第１方向とは反対の第２方向に撓んだ場合に他方の向きに駆動電流が生
じるように構成できる。
【００５１】
手段２４．前記圧電素子は、当該圧電素子の変形状態に応じて生じる前記駆動電流の向
きが変化するようになっており、
前記発光素子は、前記駆動電流が一方の向きの場合に発光する第１発光素子と、他方の
向きの場合に発光する第２発光素子とを備えてなることを特徴とする手段２０ないし手段
２３のいずれかに記載の遊技機。
【００５２】
このようにすれば、双方の電流の向きに対応して各々発光素子が配置されることとなり
、２つの発光態様を生じさせることができる構成となる。この場合でも、撓み方向に応じ
て駆動電流が変更されるように構成でき、自然状態から第１方向に撓んだ場合に一方の向
きに駆動電流が生じ、第１方向とは反対の第２方向に撓んだ場合に他方の向きに駆動電流
が生じるように構成できる。
【００５３】
手段２５．前記圧電素子と前記駆動部との間にハーネス部が介在するように接続されて
いることを特徴とする手段１ないし手段２０のいずれかに記載の遊技機。
【００５４】
このようにすれば、圧電素子からある程度離れた場所で駆動部を駆動させたい場合に都
合のよい構成となる。具体的には、可撓性を有するハーネス部を配置することができる。
【００５５】
手段２６．前記圧電素子はバイモルフ構造をなすことを特徴とする手段１ないし手段２
５のいずれかに記載の遊技機。
【００５６】
このようにすれば、小型化を実現しつつ駆動電流を確保できる構成となる。
【００５７】
手段２７．前記電動部は、遊技球を発射する発射装置であることを特徴とする手段１な
いし手段２６のいずれかに記載の遊技機。
【００５８】
このようにすれば、発射装置の動作を効果的に利用して圧電素子にて駆動電流を生じさ
せることができ、効率的な駆動部構成となる。
【００５９】
手段２８．前記発射装置は、少なくとも遊技球を押し出す発射槌を有し、
前記圧電素子は、前記発射槌又は当該発射槌と連動する部品の作用を受けて変形するよ
うに構成されていることを特徴とする手段２７に記載の遊技機。
【００６０】
このように変位量が大きく、強い力が生じる発射槌又はそれと連動する部品の動作を圧
電素子に伝達するようにすれば、圧電素子の変形を生じさせやすい構成となる。
【００６１】
手段２９．前記電動部は、遊技球の流下領域に配置された遊技部品からなることを特徴
とする手段１ないし手段２６のいずれかに記載の遊技機。
【００６２】
このようにすれば、電動動作を伴う遊技部品の動作を利用して効率的に駆動部を駆動さ
せることができる。
【００６３】
手段３０．前記電動部は、遊技球を払い出す払出機構であることを特徴とする手段１な
いし手段２６のいずれかに記載の遊技機。
【００６４】
このようにすれば、電動動作を伴う払出機構の動作を利用して効率的に駆動部を駆動さ
せることができる。
【発明の効果】
【００６５】
請求項１の構成によれば、複雑な電源回路や制御回路によって駆動部を駆動する構成を
用いなくとも電動部の電動エネルギーを利用して圧電素子に駆動電流を生じさせることが
でき、簡易に装飾性を高め得る構成となる。
【発明を実施するための最良の形態】
【００６６】
＜実施形態１＞
本発明の第１実施形態を図１ないし図８を参照しつつ説明する。
図１は本発明の実施形態１に係る遊技機１を概念的に示す斜視図、図２はその遊技機１
の裏面図である。図３はガラス扉枠の裏側構成（但し盤面部品を一部除いた構成）を示す
説明図であり、図４は、発射装置付近を拡大して示す拡大図である。図５は発射装置を正
面から説明する説明図である。図６は発射装置の構成を模式的に示す斜視図である。
【００６７】
図１において、１５はパチンコ機として構成された遊技機１における機枠であり、該機
枠１５の前面に前面枠２（前枠とも称する）が開閉自在に取付けられている。該前面枠２
の裏面側には遊技盤（図１では図示略）が取付けられており、この遊技盤の盤面を覆うよ
うにガラス扉枠５が着脱かつ開閉自在に装着されている。さらに、遊技盤の盤面に打球を
供給する上部球受皿７が装着され、前面枠２の下部には上部球受皿７の余剰球を貯留する
下部球受皿８と、打球の発射強さを加減する操作ハンドル９が設けられる。
【００６８】
前面枠２の左側縁部はヒンジ具８８を介して機枠１５の左端部に蝶着され、ガラス扉枠
５の左側縁部も前面枠２の左端部に蝶着されている。そして、自由端を施錠装置８９によ
って機枠１５および前面枠２に閉止状態で施錠しており、シリンダー錠の操作によって前
記施錠装置８９を作用して前面枠２およびガラス扉枠５を開閉するようになっている。
【００６９】
前記ガラス扉枠５は、図１に示すように、前面枠２の上半部分以上を全幅にわたって覆
う大きさに形成され、その中央部に、図示しない遊技盤の遊技領域が視認可能となるよう
に円形状の窓部４が形成されており、その窓部４の全領域にわたってガラス板８１が配置
されている。また図３に示すように、窓部４の後方側において遊技盤３の前面には、遊技
球を案内するガイドレール３ａ，３ｂが設けられている。そして、後述する遊技球発射装
置（以下、単に発射装置ともいう）３０によってガイドレール３ａ、３ｂ間に遊技球を発
射することによって、遊技球を遊技領域上に送出する。このガイドレール３ａ，３ｂによ
って囲まれる遊技領域には、一般入賞口や可変表示装置の図柄を変動させる始動入賞口、
また可変表示装置の予め設定された図柄の組合せにより開放する大入賞口等が設けられ、
遊技領域の最下端にアウト口が設けられる。
【００７０】
また、遊技盤３の裏面には図示しない入賞球集合パネルが設けられ、この裏側には図２
に示すような機構板２６が配設されている。さらに、機構板２６の後方において、入賞球
集合パネルの裏面に遊技内容を制御する回路基板が収納される基板ボックス２７が配置さ
れている。基板ボックス２７は機構板２６に取り付けることもできるがこれ以外の部品に
取り付けることもできる。一方前記機構板２６は、ヒンジ具によって開閉自在に装着され
、図２に示すように機構板２６の開放側および上下に位置して遊技盤を取り付ける枠（前
面枠）に設けられた固定手段としての複数の係止具２９と、機構板２６に設けられた係止
孔２８とにより、機構板２６を遊技盤の裏面に密着させた状態に圧接して固定するように
している。図２では上側に設けられた係止具２９及び係止孔２８が図示されており、これ
以外のものは図示はしていない。
【００７１】
機構板２６は、図２に示すように合成樹脂により例えば略方形状に形成されており、ほ
ぼ中央に図示しない可変表示装置の後部が臨む窓部（図示略）が開設されており、該窓部
の後方にはカバー２４が配置されており、窓部の上方にはパチンコ球を貯留する貯留タン
ク１２が取付けられる。また、貯留タンク１２の下方にはパチンコ球を整列して導き出す
タンクレール２０が設けられ、その下流端は、屈曲誘導樋４５を介して所定数のパチンコ
球の払い出しを制御する払出制御部４６が接続されている。タンクレール２０は貯留タン
ク１２側（上流側）から払出制御部４６側（下流側）へ向けて緩やかな勾配を持つように
設けられている。払出制御部４６の下方には、この払出制御部４６から払出されたパチン
コ球を上部球受皿７（図１）に導くように図示しない流路が構成されている。
【００７２】
次に遊技球発射装置３０の動作について説明する。なお、発射槌によって遊技球を打球
する発射装置は公知であるので詳細な説明は省略し、一例の概要を述べる。まず、球皿に
遊技球が投入されると、先頭の遊技球が発射球供給装置の内部で止まる。この状態で操作
ハンドル９に触れるとセンサーがそれを検知し、発射槌駆動用のモータＭ（モータＭがア
クチュエータに相当する）が作動し、図５に示すカム１６が、モータＭ（図６参照）によ
って駆動される軸１６ａを中心として回転する。そして回転するカム１６は、発射槌本体
１１（発射槌本体１１が変位部材に相当する）のカム受けローラ１９に係合し、槌側カッ
プ３６内に設けられた図示しない捩りコイルばねの付勢に抗しつつ発射槌本体１１を後ろ
に傾けさせる。発射槌本体１１は、回動軸線Ｏ（図５では紙面と直交する回動軸線Ｏを概
念的に例示する）を中心とするように軸１７のまわりを回動し、所定の位置まで傾斜する
とカム受けローラ１９がカム１６から外れて発射槌本体１１がフリーになる。そうすると
槌側カップ３６もフリーになり、捩りコイルばねの付勢により槌側カップ３６と連動する
発射槌本体１１が逆向きに勢いよく回動し、発射槌本体１１がゴム製のストッパー（図示
略）に当たって止まる。もし、この段階で発射レール３ｃの発射部に遊技球があれば衝突
スプリング２０に当たって勢いよく飛び出す。
【００７３】
発射槌本体１１が傾動して戻ると、発射槌１０の軌跡上に置かれた遊技球が発射スプリ
ング２０に当たり、遊技球はレール３ｃ（図３、図５参照）に沿って勢いよく飛び出す。
そして、飛び出した遊技球と入れ替わるようにして次の遊技球が図示しない供給機構によ
って送り出される。以後、発射槌駆動用モーターのカム１６が１回転する毎に上記の動作
が繰り返されるから、発射槌１０（発射槌本体１１及び衝突スプリング２０からなる槌）
によって遊技球が１個ずつ発射され、それと入れ替わるタイミングで遊技球が１個ずつ供
給されることとなる。
【００７４】
なお、発射槌１０の打球力の調節は、遊技者が操作ハンドル９を回すことにより行う。
そうすると、発射ハンドル９の回転が伝達部材２２に伝わり、その回転がワイヤー２４を
介して槌側カップ３６に伝達される。この槌側カップ３６の回転は内部に配置された捩り
コイルばねの弾発力を強める方向（図５において反時計回り）に作用するから、その分、
発射槌１０の打球力が強くなる。なお、発射装置の構成の概要を説明したが、本発明は当
然ながらこのような発射装置に限定されるものではなく、電動部によって遊技球を送出可
能な構成であればどのような発射装置にも適用可能である。
【００７５】
次に圧電素子ユニットについて説明する。
図１、図５に示すように、遊技機１において、発射装置３０の近傍には、圧電素子ユニ
ット１００が設けられており、この圧電素子ユニット１００には、図５、図７に示すよう
に、圧電素子１０１（符号１０１は両圧電素子１２１、１２２を総称する符号とする）と
、圧電素子１０１と電気的に接続された発光素子１０３（発光素子１０３が駆動部に相当
する）が設けられている。そして、圧電素子１０１に対し、発射装置３０の駆動が伝達可
能に構成されており、発射装置３０の駆動に基づいて圧電素子１０１が変形することによ
り圧電素子１０１から駆動電流が発生し、当該圧電素子１０１からの駆動電流によって発
光素子１０３が発光するように構成されている。より具体的には、発射槌本体１１の軌跡
上に圧電素子ユニット１００の一部が配置されており、発射槌本体１１が傾動動作に伴っ
て接続部１１０に衝突して図７のように接続部１１０に撓みが生じるように構成され、そ
の接続部１１０の撓みに伴って両圧電素子１２１、１２２が変形（撓み変形）して両圧電
素子１２１、１２２に起電力が生じ、駆動電流が発生するようになっている。これにより
、複雑な回路によって駆動部（発光素子１０３）を駆動する構成を用いなくとも駆動可能
な構成となり、効率的に装飾性を高め得る構成となっている。
【００７６】
本実施形態では、図５、図７に示すように、接続部１１０に圧電素子１０１（各圧電素
子１２１、１２２）が接続される構成をなしている。具体的には、各圧電素子１２１、１
２２の各々の板面と接合し、かつこれらに挟まれるようにして接続される接続部１１０に
対し発射槌本体１１が衝突するようにして発射装置３０の駆動（電動動作）が伝達される
ように構成されている。そして、接続部１１０の変位又は変形により各圧電素子１２１、
１２２を変形させる力が生じるように構成されている。したがって、圧電素子には発射装
置３０の一部（発射槌本体１１）が直接衝突せず耐久性の高い構成となっている。
【００７７】
図７に示すように、本実施形態での接続部１１０は、板状部品からなり、板状部品の両
方の板面に各圧電素子１２１、１２２がそれぞれ接合されており、圧電素子１０１は２枚
の圧電素子１２１、１２２によってバイモルフ構造をなしている。接続部１１０は弾性変
形可能な可撓性部品からなり、一端側が保持部１０２、１０２によって挟圧保持されて固
定されており、図７の破線部１１０ａ、１１０ｂにて示すように接続部１１０の他端側（
自由端側）が撓むことによりそれと連動して両圧電素子１２１、１２２が変形して（より
具体的には、接続部１１０の自由端側が撓むことにより積層体１０６全体が撓んで圧電素
子１２１、１２２が変形し）起電力が発生して駆動電流が生じ、発光素子１０３へ流れる
ようになっている。保持部１０２、１０２は、遊技機１において、前面枠２や遊技盤３に
固定される部品であってもよく、前面枠２の一部などであってもよい。要は、発射装置３
０に対して圧電素子ユニット１００を相対的に位置決めできる構成であれば保持部１０２
，１０２は様々な構成を用いることができる。
【００７８】
図５ないし図７にて示すように、弾性変形可能な材質からなる接続部１１０は、一端側
が自由端とされて当該自由端付近に発射装置３０の一部（発射槌本体１１）が衝突可能と
されており、自由端から所定距離離れた位置に圧電素子１０１（両圧電素子１２１、１２
２）が接合されている。これにより、発射装置３０の押圧力を増幅させて圧電素子１０１
（両圧電素子１２１、１２２）に伝達することができるようになっている。さらに、図５
に示すように、圧電素子１０１（両圧電素子１２１、１２２）から、両圧電素子１２１、
１２２の板面方向所定距離離れた位置において接続部１１０が発射装置３０の一部（発射
槌本体１１）の衝突を受けるように構成されており、圧電素子を効果的に保護しつつ変形
させることができるようになっている。
【００７９】
また、図１に示すように、圧電素子１０１と発光素子１０３とを備えてなる圧電素子ユ
ニット１００において、少なくとも発光素子１０３（駆動部）は、デザインが施された樹
脂カバー部９２の内部に収容されており、当該樹脂カバー部９２の後方から接続部１１０
が、発射装置３０側に延出した構成をなしている。これにより、デザインが施された樹脂
カバー部９２を効果的に発光させることができ、接続部１１０は発射装置の作用を受けや
すくなっている。なお、樹脂カバー部９２は、発光素子１０３の前方において、発光素子
１０３の全体をカバーしており、発光素子１０３の前方には透光性を有する部分（本実施
形態では樹脂カバー部９２のほぼ全体が透光性を有している）が設けられて発光素子１０
３からの光を遊技機１の前方に照射可能に構成さている。なお、発光素子１０３の光を前
方に照射可能な構成であれば樹脂カバー部９２は別の構成（例えば一部にスリットを設け
たり一部のみを透光性部分とする構成など）であっても勿論よい。
【００８０】
本実施形態では、図７ないし図９（特に図８の回路図）に示すように、発光素子１０３
は遊技機１のメイン基板（メイン基板が制御基板に相当する）に直接的に（即ち、メイン
基板から他基板を介さずに直接的に）又は間接的に（即ち、メイン基板から他基板を介し
て間接的に）接続されておらず、圧電素子１０１のみが電源とされ、他の電源は用いられ
ない構成をなしている。ここでの発光素子１０３は、遊技機の主制御を司る制御基板（メ
イン基板）とは電気的に接続されておらず、メイン基板から完全に独立した構成をなして
いる。これにより、制御基板（即ちメイン基板）或いは制御基板に接続される別基板（即
ちサブ基板）の端子を用いずとも装飾部品９０の発光が可能となり、仮に駆動部の数を増
大させてもメイン基板やサブ基板に影響を与えない構成となっている。
【００８１】
さらに本実施形態では、駆動部が駆動電流によって発光する発光素子によって構成され
ているため、大電流を用いずとも駆動が可能となっており、あまり衝突力が大きくなくて
も駆動がなされることとなる。また、図７は圧電素子ユニット１００の斜視図を概念的に
示し、図９は正面図及び側面図を概念的に示しているが、圧電素子１０１（両圧電素子１
２１、１２２）は所定のベース部材（即ち接続部１１０）の板面にそれぞれ接合されてお
り、このベース部材（接続部１１０）に発光素子１０３が実装されている。これによりハ
ーネスを省略することができ、部品点数の削減、装置のコンパクト化が図られている。な
お、圧電素子１２１、１２２と、ベース部材（接続部１１０）と、発光素子１０３を電気
的に接続するように、図８に示すような回路が構成されている。
【００８２】
具体的には、圧電素子１２１における外側の板面１２１ａ側に接続される配線と、圧電
素子１２２の外側の板面１２２ａ側に接続される配線とが共に端子Ｔ２（発光素子１０３
の一方側の端子）に接続される構成をなしている（図９（ｂ）においてＴ２への接続経路
は破線部にて概念的に示している）。一方、圧電素子１２１の内側の板面１２１ｂ側に接
続される配線と、圧電素子１２２の内側の板面１２２ｂ側に接続される配線とが共に端子
Ｔ１（発光素子１０３の他方側の端子）に接続されており、図９（ｂ）には、Ｔ１への接
続経路Ｃ１を実線にて概念的に示している。なお、圧電素子１０１及びベース部（即ち接
続部１１０）における配線（即ち、図９（ｂ）における経路Ｃ１、Ｃ２）はパターニング
、ワイヤボンディング、スルーホール、ビアホールなどを用いて様々に構成できる。
【００８３】
なお、本実施形態では、接続部１１０は非導電性の材質によって構成されている。また
、図７ないし図９では図示していないが、圧電素子１２１、１２２の各々の板面１２１ａ
、１２１ｂ、１２２ａ、１２２ｂにおいて部分的に、或いは板面全体を覆うように電極層
を接合させ、この電極層と端子Ｔ１、Ｔ２とを経路Ｃ１，Ｃ２によって接続するようにし
てもよい。なお、本実施形態において、圧電素子１２１、１２２は互いに同様の性質のも
のが設けられており、積層体１０６が撓んだ場合に（即ち図７のように撓んだ場合）、板
面１２１ａと板面１２２ａとが同極となり、板面１２１ｂと板面１２２ｂとが同極となる
ように構成されている。また、本実施形態では、接続部１１０を、発光素子１０３を実装
するベース部材として機能させているが、接続部１１０とベース部材（即ち発光素子１０
３を実装する部材）とを別部材としてもよい。
【００８４】
また、図１０のような回路構成を採ることもできる。
図１０は、図８において端子Ｔ１，Ｔ２に接続される発光素子１０３（ＬＥＤ）の代用
構成を例示している。なお、端子Ｔ１，Ｔ２から先（発光素子側）の構成以外は図１ない
し図７及び図９と同様の構成である。ここでは、端子Ｔ１、Ｔ２に発光素子１０３ａの群
（同じ向きに配される複数の発光素子の群（破線は１又は複数の発光素子を省略して示し
ている））と、１０３ａの群とは逆向きに配される発光素子１０３ｂの群（同じ向きに配
される複数の発光素子の群（破線は１又は複数の発光素子を省略して示している））とを
並列に接続している。本実施形態の圧電素子１０１は振動により（即ち、撓む方向によっ
て）生じる電流の向きが変化するようになっている。即ち、図７の１１０ａのように一方
側に撓んだ場合には、圧電素子１０１（両圧電素子１２１，１２２）から生じる駆動電流
は一方の向きとなり、１１０ｂのように他方側に撓んだ場合には、駆動電流はそれとは逆
の他方側の向きとなる。そして、ここでの駆動部は、一方の電流の向きにおいて駆動する
第１駆動部と、他方の電流の向きにおいて駆動する第２駆動部とを備えた構成とされてい
る。
【００８５】
具体的には、発光素子１０３として、一方の電流の向きにおいて発光する第１発光素子
１０３ａと、他方の電流の向きにおいて発光する第２発光素子１０３ｂとを備えており、
双方の電流の向きに対応して各々の発光素子が駆動し、２つの発光態様を生じさせること
ができる構成となっている。なお、第１発光素子１０３ａを例えば赤色ＬＥＤによって構
成し、第２発光素子を緑色ＬＥＤによって構成すれば、赤色と緑色が交互に点灯すること
となる。また第１及び第２発光素子を双方同色によって構成してもよい。
【００８６】
＜実施形態２＞
実施形態２について図１１ないし図１３を参照して説明する。
図１１は実施形態６に係る圧電素子ユニット１００の構成を例示する斜視図、図１２は
回路構成図、図１３は発光素子の接続例を示している。実施形態６の圧電素子ユニット１
００は、接続部１１０に複数の端子が設けられており、複数の発光素子１０７が実装され
るようになっている。なお、回路構成、端子構成以外については実施形態１と同様である
ので同一の符号を付し、詳細な説明は省略する。本実施形態では、発光素子１０７ａと１
０７ｂが並列接続されており、一方の電流方向で発光素子１０７ａが発光し、他方の電流
方向で発光素子１０７ｂが発光するように構成されている。ここでは、圧電素子１０１の
振動によって電流方向が交互に変更するようになっており、発光素子１０７Ａと１０７ｂ
が交互に通電されるように構成されている。また、図示はしていないが、端子Ｔ７，Ｔ８
に発光素子を実装してもよい。
【００８７】
＜実施形態３＞
次に図１４ないし図１８を参照して実施形態３について説明する。
なお、図１４は、実施形態３に係る圧電素子ユニット２００が保持部材２０４（上記実
施形態の保持部材１０２と同様の保持部材）に保持された状態を概念的に例示する斜視図
、図１５は、その回路構成を例示する図、図１６は、図１５の正面図及び側面図である。
図１７は、本実施形態に係る圧電素子ユニット２００が実施形態１と同様に発射装置３０
の作用を受ける構成を例示している。実施形態３では、圧電素子２０１（符号２０１は両
圧電素子２２１、２２２を総称する符号とする）の一部が発射装置３０（図１７参照）の
一部（発射槌本体１１）の作用を受ける被作用部として構成されている。
【００８８】
本実施形態の両圧電素子２２１、２２２は、ともに板状に形成され、かつ双方が撓み変
形可能に構成されており、圧電素子がより変形しやすく、起電力が生じやすい構成をなし
ている。ここでは、２枚の圧電素子２２１、２２２が接続板２０５を介して積層された構
成をなし、その積層体２０２の少なくとも一部が変形可能に構成されている。積層体２０
２は、２枚の圧電素子２２１，２２２を有するバイモルフ構造をなしており、これら圧電
素子２２１，２２２の間に導体からなる又は導電性を有する接続板２０５が配置された構
成をなしている。
【００８９】
さらに、積層体２０２は、図１４に示すように、一端側が自由端とされ、他端側が保持
部材２０４、２０４によって挟圧保持されて固定されており、当該自由端付近に発射装置
３０（図１７）が作用するように（具体的には発射装置３０の一部（発射槌本体１１）が
衝突するように）構成されている。
【００９０】
そして、積層体２０２は、図１４、図１７に示すように遊技盤３（図４参照）の前面（
盤面）に沿った方向（矢印の方向）に撓むように構成されており、発射装置３０の力によ
って変形しやすい構成をなしている。また、本実施形態においても、図１７に示すように
、圧電素子２０１（両圧電素子２２１、２２２）と駆動部（発光素子２０３）とを備えて
なる圧電素子ユニット２００において、少なくとも駆動部（発光素子２０３）が、図１の
ようなデザインが施された樹脂カバー部（樹脂カバー部９２と同様の樹脂カバー部）の内
部に収容されるように装飾部品（装飾部品９０と同様の装飾部品）が構成されている。即
ち、図１の圧電素子ユニット１００に換えて、図１４、図１７に示す圧電素子ユニット２
００を配置することができ、この場合、樹脂カバー部９２から被作用部（即ち圧電素子２
０１の一部）が、発射装置３０側に延出するように構成できる。また、この場合、例えば
発光素子２０３の全体をカバーするように樹脂カバー部９２を構成でき、発光素子２０３
の前方に透光性を有する部分を設けて発光素子２０３からの光を前方に照射するように構
成できる。
【００９１】
さらに、駆動部たる発光素子２０３は、制御基板（上述のメイン基板）に直接的に（即
ちメイン基板から他基板を介さずに）又は間接的に（メイン基板に接続される他基板を介
して間接的に）接続されておらず、圧電素子２２１，２２２のみが電源とされ、他の電源
は用いられないようになっている。ここでは、図１４ないし図１７に示すように、発光素
子２０３の一対の端子が圧電素子２２１，２２２にそれぞれに接合されており、圧電素子
２２１、２２２と発光素子２０３との間の配線が省略され、極めてコンパクトな構成が実
現されている。具体的には、図１６（ｂ）に示すように、圧電素子２２１の一方の板面２
２１ｂと圧電素子２２２の一方の板面２２２ｂとが導電性を有する接続板２０５に接続さ
れている。
【００９２】
一方、圧電素子２２１の外側の板面２２１ａが端子Ｔ９において発光素子２０３の一方
の端子に接続されており、圧電素子２２２の外側の板面２２２ａが端子Ｔ１０において発
光素子２０３の他方の端子に接続されている。本実施形態では、図１４のように積層体２
０２が一方側に撓むと、板面２２１ａと板面２２２ｂとが同極となり、板面２２１ｂと板
面２２２ａとが同極となり、板面２２１ａと２２２ｂとが同極となるように圧電素子２２
１、２２２が構成、配置されている。また、他方側に撓んだ場合も、板面２２１ｂと板面
２２２ａとが同極となり、板面２２１ａと２２２ｂとが同極となる（この場合、一方側に
撓んだ場合とは極が逆になる）。なお、圧電素子２２１の板面２２１ａと圧電素子２２２
の板面２２２ａとをそれぞれ部分的に、或いはそれぞれの板面全体を覆うように図示しな
い電極層を設けてもよい。この場合各々の電極層に発光素子２０３の各端子を接続するよ
うに構成できる。なお、このようにせずに、圧電素子２０３を所定のベース部材に接合し
、このベース部材に発光素子２０３が実装されるような構成であってもよい。
【００９３】
なお、本実施形態では、撓む方向によって生じる電流の向きが変化するように圧電素子
２０１（両圧電素子２２１，２２２）が構成されているため、図１８のような回路構成を
用いてもよい。ここでは、駆動部として一方の向きにおいて駆動する第１駆動部と、他方
の向きにおいて駆動する第２駆動部とを備えており、より具体的には、一方の向きにおい
て発光する第１発光素子２０３ａと、他方の向きにおいて発光する第２発光素子２０３ｂ
とを備えた構成をなしている。このようにすれば、双方の電流の向きに対応して各々発光
素子が配置されることとなり、例えば２つの発光態様を生じさせることができる構成とな
る。また、各素子に逆起電力が生じにくい。
【００９４】
＜実施形態４＞
次に図１９及び図２０を参照して実施形態４について説明する。
図１９は実施形態４に係る圧電素子ユニット２００を保持部材２０４（実施形態３と同
様に、実施形態１で説明した保持部材１０２と同様の保持部材）と共に概念的に示す斜視
図であり、図２０は、図１９の平面図及び側面図である。
実施形態４では、図１９及び図２０に示すように、両圧電素子２０１（両圧電素子２２
１，２２２）の各々の板面を覆うようにカバー部２０６，２０６が配置されており、当該
カバー部２０６，２０６の外面に図１７と同様の発射装置３０の一部（発射装置本体１１
）が作用するように構成されている。
【００９５】
なお、回路構成や発光素子２０３の実装構成は実施形態３とほぼ同様であるが、実施形
態４では実施形態３の構成に加えて圧電素子２０６の板面を覆うようにカバー部２０６，
２０６を配置しており、カバー部２０６と圧電素子２０１との間において発光素子２０３
と圧電素子２０１とが（より具体的には、発光素子２０３の一方の端子と圧電素子２２１
とが接続され、発光素子２０３の他方の端子と圧電素子２２２とが）それぞれ接合されて
いる。なお、本実施形態でも、実施形態３と同様に、図１７で示す発射装置３０の作用に
より（具体的には発射槌本体１１の作用により）、積層体２０２（圧電素子２２１，２２
２、接続板２０５、及びカバー部２０６，２０６を含んでなる積層体）全体が撓み変形す
るように構成されている。このようにすれば、発射装置の一部が圧電素子に直接衝突せず
、保護効果が高くなる。
【００９６】
＜他の実施形態＞
本発明は上記記述及び図面によって説明した実施形態に限定されるものではなく、例え
ば次のような実施形態も本発明の技術的範囲に含まれ、さらに、下記以外にも要旨を逸脱
しない範囲内で種々変更して実施することができる。
（１）上記いずれの実施形態においても、圧電素子を所定のベース部材に接合し、この
ベース部材からハーネスを介して駆動部を接続してもよい。このようにすれば、圧電素子
からある程度離れた場所で発光させたい場合に都合のよい構成となる。
（２）電動部は、発射装置に限らず、電動によって一部が変位するものであれば別のも
のであってもよい。例えば、遊技球の流下領域に配置された遊技部品などであってもよく
、遊技球を払い出す払出機構などであってもよい。
（３）上記実施形態では、発射槌本体を圧電素子ユニットに衝突させるようにしたが別
の部分（例えば発射スプリングやカムなど）であってもよい。要は、電動によって変位す
る部分であればどのような部品を圧電素子ユニットに作用させてもよい。
（４）上記実施形態では、駆動部として発光素子を例示したが、電気的に駆動可能なも
のであれば別のものでもよい。例えば、各種アクチュエータや音声を発生する手段などで
あってもよい。
【図面の簡単な説明】
【００９７】
【図１】本発明の実施形態１に係る遊技機を概念的に示す斜視図
【図２】その遊技機の裏面図
【図３】ガラス扉枠の裏側構成を例示する図
【図４】発射装置近傍を拡大して示す拡大図
【図５】発射装置の構成を概念的に説明する説明図
【図６】発射装置近傍を示す斜視図
【図７】圧電素子ユニットの構成を例示する斜視図
【図８】図７の圧電素子ユニットの回路図
【図９】図７の圧電素子ユニットの正面図及び側面図
【図１０】発光素子の配置例を示す図
【図１１】実施形態２の圧電素子ユニットの構成を例示する斜視図
【図１２】図１１の圧電素子ユニットの回路図
【図１３】図１１の圧電素子ユニットに関し、発光素子の配置例を示す図
【図１４】実施形態３の圧電素子ユニットの構成を例示する斜視図
【図１５】図１４の圧電素子ユニットの回路図
【図１６】図１４の圧電素子ユニットの正面図及び側面図
【図１７】本発明の実施形態３に係る遊技機を概念的に例示する図
【図１８】回路構成の別例を示す図
【図１９】実施形態４の圧電素子ユニットの構成を例示する斜視図
【図２０】図１９の圧電素子ユニットの正面図及び側面図
【符号の説明】
【００９８】
１…遊技機
３…遊技盤
１０…発射槌
１１…発射槌本体（変位部材）
３０…発射装置（電動部）
９０，２９０…装飾部品
９２，２９２…樹脂カバー部
１００，２００…圧電素子ユニット
１０１，２０１…圧電素子
１０３，２０３…発光素子（駆動部）
１１０…接続部（作用部）
２０５…接続板
Ｍ…モータ（アクチュエータ）
【図１】
2010115564.tif 000003
【図２】
2010115564.tif 000004
【図３】
2010115564.tif 000005
【図４】
2010115564.tif 000006
【図５】
2010115564.tif 000007
【図６】
2010115564.tif 000008
【図７】
2010115564.tif 000009
【図８】
2010115564.tif 000010
【図９】
2010115564.tif 000011
【図１０】
2010115564.tif 000012
【図１１】
2010115564.tif 000013
【図１２】
2010115564.tif 000014
【図１３】
2010115564.tif 000015
【図１４】
2010115564.tif 000016
【図１５】
2010115564.tif 000017
【図１６】
2010115564.tif 000018
【図１７】
2010115564.tif 000019
【図１８】
2010115564.tif 000020
【図１９】
2010115564.tif 000021
【図２０】
2010115564.tif 000022